(57)【要約】【課題】  サーバから携帯端末へ授業風景等をリアルタイム又はオンデマンドで配信すると共に、テスト問題、アンケート或いはレポート問題を配信できるようにした携帯端末を利用した教育配信システムを提供する。【解決手段】  携帯端末２，２…及びコンピュータ端末３，３…と通信自在に接続されたサーバ４であって、該サーバ４は、前記コンピュータ端末３，３…から送信される教育情報を受信する第１受信手段と、該教育情報を記憶する第１記憶手段と、該第１記憶手段に記憶されている該教育情報を更新する更新手段と、携帯端末２，２…から要求された教育情報を前記第１記憶手段内で検索・抽出する検索・抽出手段と、検索・抽出された教育情報又は前記コンピュータ端末３，３…から送信される教育情報を携帯端末２，２…に配信する配信手段等を備えている。【選択図】  図１
2006106348.tif 000002
【特許請求の範囲】
【請求項１】
１又は２台以上の携帯端末及び１又は２台以上のコンピュータ端末と通信自在に接続されたサーバであって、該サーバは、前記コンピュータ端末から送信される教育情報を受信する第１受信手段と、該教育情報を記憶する第１記憶手段と、該第１記憶手段に記憶されている該教育情報を更新する更新手段と、携帯端末から要求された教育情報を前記第１記憶手段内で検索・抽出する検索・抽出手段と、検索・抽出された教育情報又は前記コンピュータ端末から送信される教育情報を携帯端末に配信する配信手段と、該教育情報に関する返信情報を該携帯端末から受信する第２受信手段と、該教育情報に関する返信情報を記憶する第２記憶手段と、該返信情報を集計する集計手段とを備えていることを特徴とする携帯端末を利用した教育配信システム。
【請求項２】
上記教育情報は、教育に関する場面及び／又は教育情報を撮影した動画／又は静止画を含むことを特徴とする請求項１記載の携帯端末を利用した教育配信システム。
【請求項３】
上記携帯端末は、該携帯端末内で作動するアプリケーションである携帯アプリを上記サーバからダウンロードすることを特徴とする請求項１又は２記載の携帯端末を利用した教育配信システム。
【請求項４】
上記教育情報はテスト問題を含み、上記携帯端末内で上記携帯アプリが作動することにより、自動的に上記サーバから前記テスト問題をダウンロードして、テスト問題を表示すると共に、回答が入力されると、その回答に対する評価を表示し、更に、残りのテスト問題の数相当分、同様の処理を繰り返し、該回答及び／又は評価結果を前記サーバに送信するように構成されていることを特徴とする請求項１，２又は３記載の携帯端末を利用した教育配信システム。
【請求項５】
上記教育情報はアンケートを含み、上記携帯端末内で上記携帯アプリが作動することにより、自動的に上記サーバからアンケートをダウンロードして、アンケートを表示すると共に、回答が入力されると、更に、残りのアンケートの数相当分、同様の処理を繰り返し、回答結果を前記サーバに送信するように構成されていることを特徴とする請求項１，２，３又は４記載の携帯端末を利用した教育配信システム。
【請求項６】
上記教育情報はレポート問題を含み、上記携帯端末内で上記携帯アプリが作動することにより、自動的に上記サーバからレポート問題をダウンロードして、レポート問題を表示すると共に、回答が入力されると、更に、残りのアンケートの数相当分、同様の処理を繰り返し、回答結果を前記サーバに送信するように構成されていることを特徴とする請求項１，２，３，４又は５記載の携帯端末を利用した教育配信システム。
【発明の詳細な説明】
【技術分野】
【０００１】
本発明は、授業風景等を収録した音声を含む動画、テスト問題、アンケート或いはレポート問題等を携帯端末に配信し、携帯端末に入力された返信情報を受信するように構成された携帯端末を利用した教育配信システムに関する。
【背景技術】
【０００２】
近年、通信システムを利用して教育等を行う教育配信システムが普及してきている。それらは、主として、授業風景等を撮影してリアルタイムで他の場所に配信して比較的大型のモニター又はスクリーン等を用いて他の場所で授業風景を見られるようにするものが多い。
【０００３】
又、授業等を録画してオンデマンドで他の場所に配信して比較的大型のモニター又はスクリーン等で授業風景を見られるようにするもの、或いは、録画した媒体を他の場所に移送して授業風景を見られるようにするものもある。
【０００４】
一方、最近の携帯端末の普及に伴い、授業風景等を撮影した動画像データをリアルタイムで携帯電話に送信することも知られている（例えば特許文献１）。
又、生徒が所有する携帯電話機に、教室に設置された機器を用いて演習等の宿題の情報を入力・記憶させ、生徒が生徒宅に設置された機器を用いて記憶された宿題の情報を読み出して宿題を実行し、実行された宿題の結果の情報を生徒宅の機器から携帯電話機に入力・記憶させ、記憶された宿題の結果の情報を教室の機器を用いて読み出し、宿題の結果の情報からその評価をする方法も知られている（例えば特許文献２）。
【特許文献１】特開２００２−３４４６５５号公報
【特許文献２】特開２００３−２８０５１５号公報
【発明の開示】
【発明が解決しようとする課題】
【０００５】
前述した、比較的大型のモニター又はスクリーン等を用いて遠隔地に於いて授業風景を見られるようにすることは教育上の効果も高いが、携帯電話等を用いる場合は、更に、いつでも、どこでも授業風景を見たり、その他の教育情報を得ることができる点で利点がある。
【０００６】
然しながら、前述の特許文献１は授業風景等を撮影して動画像データをリアルタイムで携帯電話に送信するものであり、送信されるデータが動画像データに限定され、且つ、リアルタイムであるための時間的な制約があるという問題がある。
【０００７】
又、特許文献２は、携帯電話の通信機能を利用するものではないため、携帯電話を一方の機器から他方の機器まで搬送する必要があり、その用途が限定される。
【０００８】
以上の現状に鑑み、本発明は、サーバから携帯端末へ授業風景等をリアルタイム又はオンデマンドで配信すると共に、テスト問題、アンケート或いはレポート問題を配信できるようにし、且つ、それに対する入力結果の返信をサーバで受信できるようにした携帯端末を利用した教育配信システムを提供することを目的とする。
【課題を解決するための手段】
【０００９】
上記の課題を解決すべく、本発明は以下の構成を提供する。
請求項１に係る発明は、１又は２台以上の携帯端末及び１又は２台以上のコンピュータ端末と通信自在に接続されたサーバであって、該サーバは、前記コンピュータ端末から送信される教育情報を受信する第１受信手段と、該教育情報を記憶する第１記憶手段と、該第１記憶手段に記憶されている該教育情報を更新する更新手段と、携帯端末から要求された教育情報を前記第１記憶手段内で検索・抽出する検索・抽出手段と、検索・抽出された教育情報又は前記コンピュータ端末から送信される教育情報を携帯端末に配信する配信手段と、該教育情報に関する返信情報を該携帯端末から受信する第２受信手段と、該教育情報に関する返信情報を記憶する第２記憶手段と、該返信情報を集計する集計手段とを備えていることを特徴とする携帯端末を利用した教育配信システムを提供するものである。
【００１０】
請求項２に係る発明は、上記教育情報は、教育に関する場面及び／又は教育情報を撮影した動画／又は静止画を含むことを特徴とする請求項１記載の携帯端末を利用した教育配信システムを提供するものである。
【００１１】
請求項３に係る発明は、上記携帯端末は、該携帯端末内で作動するアプリケーションである携帯アプリを上記サーバからダウンロードすることを特徴とする請求項１又は２記載の携帯端末を利用した教育配信システムを提供するものである。
【００１２】
請求項４に係る発明は、上記教育情報はテスト問題を含み、上記携帯端末内で上記携帯アプリが作動することにより、自動的に上記サーバから前記テスト問題をダウンロードして、テスト問題を表示すると共に、回答が入力されると、その回答に対する評価を表示し、更に、残りのテスト問題の数相当分、同様の処理を繰り返し、該回答及び／又は評価結果を前記サーバに送信するように構成されていることを特徴とする請求項１，２又は３記載の携帯端末を利用した教育配信システムを提供するものである。
【００１３】
請求項５に係る発明は、上記教育情報はアンケートを含み、上記携帯端末内で上記携帯アプリが作動することにより、自動的に上記サーバからアンケートをダウンロードして、アンケートを表示すると共に、回答が入力されると、更に、残りのアンケートの数相当分、同様の処理を繰り返し、回答結果を前記サーバに送信するように構成されていることを特徴とする請求項１，２，３又は４記載の携帯端末を利用した教育配信システムを提供するものである。
【００１４】
請求項６に係る発明は、上記教育情報はレポート問題を含み、上記携帯端末内で上記携帯アプリが作動することにより、自動的に上記サーバからレポート問題をダウンロードして、レポート問題を表示すると共に、回答が入力されると、更に、残りのアンケートの数相当分、同様の処理を繰り返し、回答結果を前記サーバに送信するように構成されていることを特徴とする請求項１，２，３，４又は５記載の携帯端末を利用した教育配信システムを提供するものである。
【発明の効果】
【００１５】
本発明の請求項１記載の発明によれば、１又は２台以上の携帯端末及び１又は２台以上のコンピュータ端末と通信自在に接続されたサーバであって、該サーバは、前記コンピュータ端末から送信される教育情報を受信する第１受信手段と、該教育情報を記憶する第１記憶手段と、該第１記憶手段に記憶されている該教育情報を更新する更新手段と、携帯端末から要求された教育情報を前記第１記憶手段内で検索・抽出する検索・抽出手段と、検索・抽出された教育情報又は前記コンピュータ端末から送信される教育情報を携帯端末に配信する配信手段と、該教育情報に関する返信情報を該携帯端末から受信する第２受信手段と、該教育情報に関する返信情報を記憶する第２記憶手段と、該返信情報を集計する集計手段とを備えている携帯端末を利用した教育配信システムを提供するので、サーバはコンピュータ端末から教育情報を受け取り、携帯端末に配信することができると共に、携帯端末からの返信情報を受け取り、返信情報を適宜集計することができる。
【００１６】
請求項２記載の発明によれば、上記教育情報は、教育に関する場面及び／又は教育情報を撮影した動画／又は静止画を含むので、請求項１記載の発明の効果に加え、例えば、授業風景等の教育に関する場面及び／又は、電子黒板等に書かれた情報等の教育情報を撮影した動画／又は静止画を携帯端末に配信することができる。
【００１７】
請求項３記載の発明によれば、上記携帯端末は、該携帯端末内で作動するアプリケーションである携帯アプリを上記サーバからダウンロードするので請求項１又は２記載の発明の効果に加え、携帯端末内で携帯アプリを作動させることにより、教育情報の自動ダウンロードをすることができると共に、携帯端末で教育情報を円滑に利用させることができ、且つ、携帯端末内の入力情報をサーバに返信することができる。
【００１８】
請求項４記載の発明によれば、上記教育情報はテスト問題を含み、上記携帯端末内で上記携帯アプリが作動することにより、自動的に上記サーバから前記テスト問題をダウンロードして、テスト問題を表示すると共に、回答が入力されると、その回答に対する評価を表示し、更に、残りのテスト問題の数相当分、同様の処理を繰り返し、該回答及び／又は評価結果を前記サーバに送信するように構成されているので、請求項１，２又は３記載の発明の効果に加え、テスト問題を円滑に実施することができる。
【００１９】
請求項５記載の発明によれば、上記教育情報はアンケートを含み、上記携帯端末内で上記携帯アプリが作動することにより、自動的に上記サーバからアンケートをダウンロードして、アンケートを表示すると共に、回答が入力されると、更に、残りのアンケートの数相当分、同様の処理を繰り返し、回答結果を前記サーバに送信するように構成されているので、請求項１，２，３又は４記載の発明の効果に加え、アンケートを円滑に実施することができる。
【００２０】
請求項６記載の発明によれば、上記教育情報はレポート問題を含み、上記携帯端末内で上記携帯アプリが作動することにより、自動的に上記サーバからレポート問題をダウンロードして、レポート問題を表示すると共に、回答が入力されると、更に、残りのアンケートの数相当分、同様の処理を繰り返し、回答結果を前記サーバに送信するように構成されているので、請求項１，２，３，４又は５記載の発明の効果に加え、レポート問題を円滑に実施することができる。
【発明を実施するための最良の形態】
【００２１】
以下、実施例を示した図面を参照しつつ本発明の実施の形態を説明する。
図１に於いて、１は本発明の携帯端末を利用した教育配信システムを示し、携帯端末を利用した教育配信システム１は、１又は２台以上の携帯端末２，２…及び１又は２台以上のコンピュータ端末３，３…と通信自在に接続されたサーバ４を備えている。
【００２２】
そして、サーバ４は、図１及び図２に示す如く、コンピュータ端末３，３…から送信される教育情報を受信する第１受信手段５と、教育情報を記憶する第１記憶手段６と、教育情報が更新情報である場合に第１記憶手段６に記憶されている教育情報を更新する更新手段７と、携帯端末２，２…から要求された教育情報を第１記憶手段６内で検索・抽出する検索・抽出手段８と、検索・抽出された教育情報を携帯端末２，２…に送信する送信手段９と、該教育情報に関する返信情報を該携帯端末２，２…から受信する第２受信手段１０と、該教育情報に関する返信情報を記憶する第２記憶手段１１と、該返信情報を集計する集計手段１２とを備え、且つ、サーバの機能を備えている。
【００２３】
尚、前記第１受信手段５と、第２受信手段１０と、送信手段９とは同じ送受信手段であっても良い。同様に、前記第１記憶手段６と、第２記憶手段１１とは同じ記憶手段であっても良い。
【００２４】
又、前記携帯端末２，２…は無線中継基地１３と無線通信自在に接続され、無線中継基地１３はサーバ４にインターネット１４を介して通信自在に接続されている。携帯端末２，２…は、携帯電話、個人情報端末（ＰＤＡ）等から成り、予め、サーバ４から携帯端末２内で作動するアプリケーションである携帯アプリを、ダウンロードし、ダウンロードした携帯アプリを作動させて、初期画面等に於いて、ＩＤ及びパスワードを入力しサーバ４にユーザー登録をしておく。
【００２５】
従って、次に、この携帯アプリを作動させてサーバ４にアクセスする時は、携帯アプリによって自動的にＩＤ及びパスワードをサーバ４に送信し、ＩＤ及びパスワードの認証を受けることになる。尚、ＩＤ及びパスワードを自動的に送信する方法に代えて、所定の時点に於いて、携帯端末の操作者がＩＤ及び／又はパスワードを入力するようにしても良い。後述する各態様に於いても、前提としてこの認証が行われるが、各態様に於ける認証の手続の説明は省略する。
【００２６】
更に、前記コンピュータ端末３，３…は、教育情報を生成するための１又は２以上のコンピュータ端末から成り、例えば、動画を作成するための１又は２台以上のコンピュータ端末３Ａ，３Ａ…、テスト問題、アンケート、又はレポート問題等を作成・更新等するための１又は２台以上のコンピュータ端末３Ｂ，３Ｂ…、動画を編集するための１又は２台以上のコンピュータ端末３Ｃ，３Ｃ…を含んでおり、これらのコンピュータ端末３Ａ，３Ａ…、３Ｂ，３Ｂ…、３Ｃ，３Ｃ…は、ＬＡＮ１５を介してサーバ４に接続されている。尚、ＬＡＮ１５に代えてインターネット等、他の通信手段によって接続されても良い。
【００２７】
そして、前記動画を作成するためのコンピュータ端末３Ａ，３Ａ…はライブエンコード或いはエンコードの機能を備えており、カメラ１６に接続されている。尚、前記動画は音声信号も含んでいる。
【００２８】
次に、第１の態様である動画をリアルタイム配信する場合について図２及び図３に従って説明する。
授業（講義）、セミナー、研修等の現場風景をコンピュータ端末３Ａで操作されるカメラ１６で撮影し（ステップＳ１）、コンピュータ端末３Ａでライブエンコードしたのち（ステップＳ２）、音声付きの動画としてＬＡＮ１５を介してサーバ４に送信する（ステップＳ３）。尚、この動画は動画を編集するためのコンピュータ端末３Ｃ，３Ｃ…によって適宜編集される（ステップＳ４）。
【００２９】
次に、携帯端末操作者が、携帯端末２内で携帯アプリを作動させると（ステップＳ５）、携帯アプリによって教育情報選択画面が表示され（ステップＳ６）、携帯端末操作者が、教育情報選択画面から、例えば、「授業のリアルタイム配信」を選択すると、携帯アプリがサーバ４に対し「授業のリアルタイム配信」を要求し（ステップＳ７）、この要求に対し、サーバ４は、授業の現場風景をカメラ１６で撮影した前記音声付きの動画を送信手段９によって携帯端末２に送信する（ステップＳ８）。尚、前記教育情報選択画面は携帯端末２内の携帯アプリによって表示されたが、携帯端末２のアクセスによって、サーバ４から携帯端末２に対しｗｅｂページ等で配信しても良い。
【００３０】
動画は音声信号と共に、インターネット１４及び無線中継基地１３を介して携帯端末２に受信され（ステップＳ９）、携帯端末操作者は携帯端末２によって授業の現場風景の動画を視聴することができる。尚、この時、動画はストリーミング配信によってリアルタイムで配信される。又、携帯端末２の画面構成を１画面、２画面或いは３画面等複数画面に構成とすることも可能であり、分割された画面を用いて、複数個所の現場撮影映像を表示することも可能であり、或いは、カメラ映像、パソコン映像、ＶＴＲの映像、電子黒板の情報等の教育情報を表示することも可能である。
【００３１】
次に、第２の態様である動画をオンデマンド配信する場合について図２及び図４に従って説明する。
授業（講義）、セミナー、研修等の現場風景をコンピュータ端末３Ａで操作されるカメラ１６で撮影し（ステップＳ１１）、コンピュータ端末３Ａでエンコードしたのち（ステップＳ１２）、ＬＡＮ１５を介してサーバ４に送信すると（ステップＳ１３）、サーバ４は動画として第１記憶手段６に記憶する（ステップＳ１４）。この場合の第１記憶手段６はＨＤＤ、ビデオテープ、ＤＶＤ等から成る。
【００３２】
尚、この動画は動画を編集するためのコンピュータ端末３Ｃ，３Ｃ…によって適宜編集され（ステップＳ１５）、編集後の動画が更新手段７によって更新されて第１記憶手段６に記憶される（ステップＳ１６）。
【００３３】
次に、携帯端末操作者が、携帯端末２内で携帯アプリを作動させると（ステップＳ１７）、携帯アプリによって教育情報選択画面が表示され（ステップＳ１８）、携帯端末操作者が、教育情報選択画面から、例えば、「授業のオンデマンド配信」を選択すると、携帯アプリがサーバ４に対し「授業のオンデマンド配信」を要求し（ステップＳ１９）、この要求に対し、サーバ４は、検索・抽出手段８によって第１記憶手段６の中から要求された動画を検索・抽出し（ステップＳ２０）、検索・抽出された動画を音声信号と共に携帯端末２に送信する（ステップＳ２１）。
【００３４】
動画は音声信号と共に、インターネット１４及び無線中継基地１３を介して携帯端末２に受信され（ステップＳ２２）、携帯端末操作者は携帯端末２によって授業の現場風景の動画を視聴することができる。尚、この場合に於いて、動画はストリーミング配信され、連続的に授業の現場風景を視聴できる。又、この時、携帯端末２の画面構成を１画面、２画面或いは３画面構成とすることも可能であり、且つ、分割された画面を用いて、複数個所の撮影映像を表示することも可能であり、或いは、カメラ映像、パソコン映像、ＶＴＲの映像、電子黒板の情報等を表示することも可能である。
【００３５】
次に、第３の態様であるテスト問題を配信する場合について図２及び図５に従って説明する。
テスト問題は、前記コンピュータ端末３Ｂ，３Ｂ…によって作成され（ステップＳ２１）、コンピュータ端末３Ｂ，３Ｂ…からＬＡＮ１５を介してサーバ４にアップロードされ（ステップＳ２２）、サーバ４の第１記憶手段６に記憶される（ステップＳ２３）。この時、テスト問題は、例えば、４つの回答から正解を選択する四択問題に構成されている。但し、四択問題に限定されるものではなく、他の出題方法を用いることも可能である。
【００３６】
尚、コンピュータ端末３Ｂ，３Ｂ…によってアップロードされる情報が修正、又は、更新情報の場合には、更新手段７によって第１記憶手段６内の教育情報を修正、又は、更新することも可能である（ステップＳ２４）。又、コンピュータ端末３Ｂ，３Ｂ…から、直接第１記憶手段内の教育情報を修正、又は、更新することも可能である（ステップＳ２５）。
【００３７】
次に、携帯端末操作者が、携帯端末２内で携帯アプリを作動させると（ステップＳ２６）、携帯アプリによって教育情報選択画面が表示され（ステップＳ２７）、携帯端末操作者が、教育情報選択画面から、例えば、「テスト問題」を選択すると、携帯アプリがサーバ４に対し「テスト問題」の配信を要求し（ステップＳ２８）、この要求に対し、サーバ４は、検索・抽出手段８によって第１記憶手段６の中から要求されたテスト問題を検索・抽出し（ステップＳ２９）、検索・抽出されたテスト問題を携帯端末２に送信する（ステップＳ３０）。
【００３８】
そして、携帯アプリが携帯端末２で作動することにより、テスト問題が受信（ダウンロード）されると共に（ステップＳ３１）、第１のテスト問題が例えば４択問題形式で表示される（ステップＳ３２）。そして、例えば、携帯端末操作者によるチェックボタン等のチェックにより、４つの説明の中から１つが選択されると、携帯アプリがその回答が正解であるか不正解であるかを評価表示し（ステップＳ３３）、更に、残りのテスト問題の数相当分につき、同様の処理が繰り返され、回答結果は前記サーバ４に送信される（ステップＳ３４）。尚、テスト問題は携帯アプリによって全問、又は、１又は２以上のテスト問題が順次ダウンロードされる。又、テスト問題は携帯アプリによって各テスト問題が夫々所定時間表示されるか、又は、全体のテスト時間が所定時間で終了するように設定されても良い。
【００３９】
更に、サーバ４は回答結果の返信を受信すると（ステップＳ３５）、第２記憶手段１１に記憶し（ステップＳ３６）、各携帯端末２から返信された全問に対する回答結果の集計、及び、複数の携帯端末２，２…から返信された回答結果の集計を行う（ステップＳ３７）。集計した結果は、適宜、統計・分析処理されて統計・分析された統計・分析情報等は各携帯端末２，２…に適宜送信される（ステップＳ３８）。尚、この時、コンピュータ端末３Ｂ、又はサーバ４で作成された正答解説、コメント等も適宜配信することが可能である。
【００４０】
次に、第４の態様であるアンケートを配信する場合について図２及び図６に従って説明する。
アンケートは、前記コンピュータ端末３Ｂ，３Ｂ…によって作成され（ステップＳ４１）、コンピュータ端末３Ｂ，３Ｂ…からＬＡＮ１５を介してサーバ４にアップロードされ（ステップＳ４２）、サーバ４の第１記憶手段６に記憶される（ステップＳ４３）。この時、アンケートは、例えば、４つの説明から回答を選択する４択形式に構成されている。但し、４択形式に限定されるものではなく、他の選択形式を用いることも可能である。
【００４１】
次に、携帯端末操作者が、携帯端末２内で携帯アプリを作動させると（ステップＳ４４）、携帯アプリによって教育情報選択画面が表示され（ステップＳ４５）、携帯端末操作者が、教育情報選択画面から、例えば、「アンケート」を選択すると、携帯アプリがサーバ４に対し「アンケート」の配信を要求し（ステップＳ４６）、この要求に対し、サーバ４は、検索・抽出手段８によって第１記憶手段６の中から要求されたアンケートを検索・抽出し（ステップＳ４７）、検索・抽出されたアンケートを携帯端末２に送信する（ステップＳ４８）。尚、アンケートは携帯端末２からの配信要求ではなく、サーバ４から自動的に複数の携帯端末２，２…に送信する場合も考えられる。
【００４２】
そして、アンケートが受信（ダウンロード）されると（ステップＳ４９）、携帯アプリが携帯端末２で作動することにより、第１のアンケートが表示される（ステップＳ５０）。そして、例えば、携帯端末操作者によってチェックボタン等のチェックにより回答が入力されると、更に、残りのアンケートの数相当分、同様の処理が繰り返され、回答結果は前記サーバ４に送信される（ステップＳ５１）。尚、アンケートは携帯アプリによって全部、又は、１又は２以上のアンケートが順次ダウンロードされる。
【００４３】
更に、サーバ４は回答結果の返信を受信すると（ステップＳ５２）、第２記憶手段１１に記憶し（ステップＳ５３）、各携帯端末２から返信された全問に対する回答結果の集計、及び、複数の携帯端末２，２…から返信された回答結果の集計を行う（ステップＳ５４）。集計した結果は、適宜、統計・分析処理される（ステップＳ５５）。
【００４４】
次に、第５の態様であるレポート問題を配信する場合について図２及び図７に従って説明する。
レポート問題は、前記コンピュータ端末３Ｂ，３Ｂ…によって作成され（ステップＳ６１）、コンピュータ端末３Ｂ，３Ｂ…からＬＡＮ１５を介してサーバ４にアップロードされ（ステップＳ６２）、サーバ４の第１記憶手段６に記憶される（ステップＳ６３）。
【００４５】
次に、携帯端末操作者が、携帯端末２内で携帯アプリを作動させると（ステップＳ６４）、携帯アプリによって教育情報選択画面が表示され（ステップＳ６５）、携帯端末操作者が、教育情報選択画面から、例えば、「レポート問題」を選択すると、携帯アプリがサーバ４に対し「レポート問題」の配信を要求し（ステップＳ６６）、この要求に対し、サーバ４は、検索・抽出手段８によって第１記憶手段６の中から要求されたレポート問題を検索・抽出し（ステップＳ６７）、検索・抽出されたレポート問題を携帯端末２に送信する（ステップＳ６８）。尚、レポート問題は携帯端末２からの配信要求ではなく、サーバ４から自動的に複数の携帯端末２，２…に送信する場合も考えられる。
【００４６】
そして、レポート問題が受信されると（ステップＳ６９）、携帯アプリが携帯端末２内で作動することにより、第１のレポート問題が表示される（ステップＳ７０）。そして、回答が入力されると、更に、残りのアンケートの数相当分、同様の処理が繰り返され、回答結果は前記サーバ４に送信される（ステップＳ７１）。尚、レポート問題は携帯アプリによって全部、又は、１又は２以上のアンケートが順次ダウンロードされる。
【００４７】
更に、サーバ４が回答結果の返信を受信すると（ステップＳ７２）、回答結果は第２記憶手段１１に記憶され（ステップＳ７３）、コンピュータ端末３Ｂを介して、回答結果に対する評価等が行われる（ステップＳ７４）。評価結果はサーバ４を介して携帯端末２，２…に送信される（ステップＳ７５）。又、評価結果は適宜サーバ４、又は、コンピュータ端末３Ｂによって集計、及び、統計・分析される（ステップＳ７６）。
【００４８】
斯くして、前記携帯端末を利用した教育配信システム１は、サーバ４が、携帯端末２，２…からの要求に基づき、あるいは、自動的に、リアルタイム或いはオンデマンドで教育情報を配信し、且つ、返信を受信することができる。
【００４９】
即ち、授業風景を動画で配信することができ、更に、テスト問題、アンケート、レポート問題作成を携帯端末に配信して、それに対する入力結果を受信することが可能となり、携帯端末を利用して、授業風景のリアルタイム或いはオンデマンド配信、テスト問題、アンケート、レポート問題を円滑に実施できる。
【００５０】
又、携帯端末２内で携帯アプリを作動させることにより、教育情報のダウンロード、表示、評価、及び、サーバへの返信を行うことができる。
【００５１】
尚、前記携帯端末を利用した教育配信システム１に於いては、前述した授業、セミナー、研修等に限定されることなく、あらゆる教育に関する現場風景、或いは教育に限定されず、他の現場風景をリアルタイム、或いは、オンデマンドで配信することができ、又、前述したテスト問題、アンケート、又は、レポート問題に限定されず、他の教育情報、或いは、教育情報に限定されることなく教育以外の他の情報を配信することができる。そして、それらの情報を携帯端末２で利用させることができると共に、その利用結果をサーバ４に返信させることができる。
【図面の簡単な説明】
【００５２】
【図１】本発明による携帯端末を利用した教育配信システムを概略的に示す説明図である。
【図２】本発明の教育配信システムに備えられるサーバの説明図である。
【図３】本発明による携帯端末を利用した教育配信システムの第１の態様を概略的に示す説明図である。
【図４】本発明による携帯端末を利用した教育配信システムの第２の態様を概略的に示す説明図である。
【図５】本発明による携帯端末を利用した教育配信システムの第３の態様を概略的に示す説明図である。
【図６】本発明による携帯端末を利用した教育配信システムの第４の態様を概略的に示す説明図である。
【図７】本発明による携帯端末を利用した教育配信システムの第５の態様を概略的に示す説明図である。
【符号の説明】
【００５３】
１  携帯端末を利用した教育配信システム
２  携帯端末
３  コンピュータ端末
４  サーバ
５  第１受信手段
６  第１記憶手段
７  更新手段
８  検索・抽出手段
９  送信手段
１０  第２受信手段
１１  第２記憶手段
【図１】
2006106348.tif 000003
【図２】
2006106348.tif 000004
【図３】
2006106348.tif 000005
【図４】
2006106348.tif 000006
【図５】
2006106348.tif 000007
【図６】
2006106348.tif 000008
【図７】
2006106348.tif 000009